(57)【要約】【課題】大掛かりな補強を施すことなく、日常的に使用しているウォークインクローゼットや部屋そのものを利用し、避難用スペースとして無駄なく広い空間を確保して安心感を増し、より迅速に、より確実に身を守るための安全措置を講ずることのできる耐衝撃性ドアを提供する。【解決手段】施錠機構を備えた扉をポリカーボネート樹脂板などの耐衝撃性部材で構成し、施錠機構と内部に収納可能に形成した取っ手とを組み合わせて、避難時に少ない手順で扉を施錠するとともに外部からの扉の開閉を困難にし、ハーフミラーや、内部から開閉自在に構成した小窓を設けた。【選択図】図１
2005126943.tif 000002
【特許請求の範囲】
【請求項１】
避難用スペースに取付ける扉であって、
ポリカーボネートで形成され、その表面には外装材が取付けられ、内側からの操作で施錠可能な施錠機構を備えたことを特徴とする耐衝撃扉。
【請求項２】
前記施錠機構は、扉の外側に設けられた外取っ手部と内側に設けられた内取っ手部とをスライド部を介して一体的に連結して形成した取っ手の、
当該スライド部に切り欠きを設け、内取っ手部を引出すことにより外取っ手部が引込まれ、スライド部に設けられた切り欠きが露出する構成とし、
扉を装着する壁面の、取っ手に対応する箇所に取付けられたロックつめを、内取っ手部を引出して露出させた切り欠きに係合させて施錠することを特徴とする請求項１に記載の耐衝撃扉。
【請求項３】
前記外取っ手部がスライド部に仮止め手段で装着され、
扉を施錠した状態で、外取っ手部に所定以上の力が加わると、仮止め手段による装着が解除して、スライド部より抜けることを特徴とする請求項２に記載の耐衝撃扉。
【請求項４】
前記扉に、耐衝撃性を有するハーフミラー状の覗き窓を設けたことを特徴とする請求項１乃至３のいずれか1項に記載の耐衝撃扉。
【請求項５】
前記扉に、内部から開閉自在に構成した小窓を設けたことを特徴とする請求項１乃至４のいずれか1項に記載の耐衝撃扉。
【発明の詳細な説明】
【技術分野】
【０００１】
本発明は、一般住宅で使用する耐衝撃扉に関するものである。詳細には、不審者が住宅に侵入した場合など、身の危険を感じた際に避難して、通報を受けた警備員や警察官が到着するまでの間、身を守るための避難用スペースに取付ける扉に関するものである。
【背景技術】
【０００２】
近年わが国においては、犯罪の増加、凶悪化が顕著であり、空き巣狙いの侵入が強盗事件に発展する事件が多発しているが、侵入者への対策は後れており、その防御策も一般には広く知られていない。一方、海外の犯罪先進国においては、そのような防御策として、箱型の避難用ボックスを設置したり、部屋そのものやウォークインクローゼット等を避難用スペースとして利用し、重く頑丈なドアを取付けるなどの対策があり、一般に知られる程度にまで普及している。
【発明の開示】
【発明が解決しようとする課題】
【０００３】
しかし、海外で使用されている耐衝撃扉は、テロのような過激な犯罪まで想定しており、鉄板などで構成されていて頑丈であるが、重量があるため、日常的に避難用スペースを別の用途に使用する場合に開閉し難いことや、既存の部屋やウォークインクローゼット等に取付けて避難用スペースとするにはドアの取付け部に大規模な補強が必要となるなどの問題があり、わが国の一般的な住宅で用いるのには実用的でない。
【課題を解決するための手段】
【０００４】
上記課題を解決するために、請求項１記載のごとく、避難用スペースに取付ける扉であって、
ポリカーボネートで形成され、その表面には外装材が取付けられ、内側からの操作で施錠可能な施錠機構を備えたことを特徴とする耐衝撃扉を提供する。
【０００５】
請求項２記載のごとく、前記施錠機構は、扉の外側に設けられた外取っ手部と内側に設けられた内取っ手部とをスライド部を介して一体的に連結して形成した取っ手の、
当該スライド部に切り欠きを設け、内取っ手部を引出すことにより外取っ手部が引込まれ、スライド部に設けられた切り欠きが露出する構成とし、
扉を装着する壁面の、取っ手に対応する箇所に取付けられたロックつめを、内取っ手部を引出して露出させた切り欠きに係合させて施錠する請求項１に記載の耐衝撃扉を提供する。
【０００６】
請求項３記載のごとく、前記外取っ手部がスライド部に仮止め手段で装着され、
扉を施錠した状態で、外取っ手に所定以上の力が加わると、仮止め手段による装着が解除して、スライド部より抜ける耐衝撃扉を提供する。
【０００７】
請求項４記載のごとく、前記扉に、耐衝撃性を有するハーフミラー状の覗き窓を設けた耐衝撃扉を提供する。
【０００８】
請求項５記載のごとく、前記扉に、内部から開閉自在に構成した小窓を設けた耐衝撃扉を提供する。
【０００９】
なお、前記避難用スペースは、避難用ボックスや避難用の部屋の総称である。
【発明の効果】
【００１０】
請求項１記載のごとく構成したことで、一般的な内装ドアとしての外観をもっているため違和感がない。また、軽量で強い耐衝撃性を備えているため、大掛かりな補強を施すことなく取付けることができ、普段の使用に際して扉の開閉が楽に行え、避難時には安全を確保することのできる耐衝撃扉を実現できる。
【００１１】
請求項２記載のごとく構成したことで、緊急時に、鍵を用いずに少ない手順で簡易に扉を施錠して、侵入者による扉の開閉を困難にすることができ、短時間で安全を確保して、侵入者から身を守ることができる。
【００１２】
請求項３記載のごとく構成したことで、侵入者による扉の開閉をさらに困難にし、安全を確保することができる。
【００１３】
請求項４記載のごとく構成したことで、外部からは内部が見えない状態で内部からは外部の様子を観察することができ、また、閉所恐怖を抑制できる。
【００１４】
請求項５記載のごとく構成したことで、催涙スプレーを噴射するなどして侵入者に対抗し、戦意を失わせることができる。
【発明を実施するための最良の形態】
【００１５】
以下、本発明の詳細を図面を参照して説明する。
図１は、本発明の実施例を示す斜視図である。耐衝撃扉１は部屋等の避難用スペースの壁面１８に設けられた出入口に取付けられている。この耐衝撃扉１はポリカーボネートで形成され、さらに耐衝撃性を備えた覗き窓２が設けられている。
この避難用スペースには、耐衝撃性扉１が設けられた出入口のほかに、人が出入できるような窓などの開口部が無いことが望ましい。
【００１６】
図２は耐衝撃扉１の垂直断面図である。
フレーム８に緩衝材７を介してポリカーボネート板６が取付けられている。
アルミや鉄などの金属性フレームにポリカーボネート板６を嵌め込んで形成することで、大きな耐衝撃強度を備え、軽量で透明なものが得られる。
【００１７】
覗き窓２はこのポリカーボネート板６にアクリルやガラス等を加工したハーフミラー１０を取付けるか、ポリカーボネート板６をハーフミラー状に加工して構成する。図２に示してあるのは前者の構造である。
また、この耐衝撃性扉１には覗き窓２以外の部分に化粧板９が取付けられている。
【００１８】
上記のごとく構成した耐衝撃扉１は、大掛かりな補強を施すことなく既存の部屋やウォークインクローゼット等に取付けることができるし、扉の開閉が容易に行える。化粧板を取付けて、耐衝撃扉１の外観を木目調などに施して内装ドアのように見せることもでき、避難用スペースを日常的に別の用途に利用するのに適している。
また、ポリカーボネート板６を厚くすれば、銃撃などの激しい攻撃にも耐える強度を得られ、安全である。
【００１９】
覗き窓２を設けたことで、外部の照明をつければ、外部からは内部が見えない状態で、内部から外部を見ることができ、侵入者に気づかれずに、様子を窺うことができる。
また、閉暗所に避難していることに対する恐怖心を和らげることができる。
【００２０】
図３は耐衝撃扉１に設けられた施錠機構の斜視図。図４は施錠機構の水平断面図である。
施錠機構は、取っ手３、ロックハンドル１９、ロックつめ２０等により構成されている。
取っ手３は耐衝撃扉１の外側に設けられた外取っ手部１５ａと内側に設けられた内取っ手部１５ｂをスライド部２２を介して連結してなり、ホルダー１６によって耐衝撃扉１の端面に取付けられている。
壁面１８には、逆Ｌ字状に形成したロックハンドル１９とロックつめ２０を両者の交点を軸に回動自在に取付ける。
【００２１】
図４に示すように、取っ手３は通常、弾性体１７により付勢されて、実線で示した状態に位置しており、内部、外部どちらからでも耐衝撃扉１を開閉できる。内取っ手部１５ｂを引出すことにより外取っ手部１５ａが引込まれ、点線図示の位置に取っ手３を収納することが可能で、内取っ手部１５ｂを引出した際に、スライド部２２に設けられた切り欠き２１が露出する構成となっている。
さらに、図５に示すように、外取っ手部１５ａはスライド部２２にネジ２３で仮止め状態に装着し、着脱可能に構成する。
【００２２】
以上からなる施錠機構は、耐衝撃扉１を閉め、内取っ手１５ｂを引出して外取っ手１５ａを収納し、次にロックハンドル１９を回動させて、ロックつめ２０を、内取っ手１５ｂとともに引出されるスライド部２２に設けられた切り欠き２１に係合させて取っ手３を固定するとともに耐衝撃扉１を施錠する。
【００２３】
取っ手３を固定すると同時に耐衝撃扉１を施錠できるので、少ない手順で安全を確保することができるし、外取っ手１５ａが耐衝撃扉１に密着しているため、外部から耐衝撃扉１を開閉し難くなる。さらに、侵入者がバール等で外取っ手部１５ａを無理に引出そうとした場合には、ネジ２３の摩擦によりスライド部２２に装着されていた外取っ手部１５ａが抜けて、外部からの耐衝撃扉１の開閉は困難になる。
【００２４】
また、図６に示したように、収納時に外取っ手１５ａが密着する耐衝撃扉１の所定箇所に凹部を形成して、そこに外取っ手１５ａを嵌合させることも可能である。
外取っ手１５ａが露出しないようにすれば、バール等を外取っ手１５ａに引掛けることができず、耐衝撃扉１の外部からの開閉は不可能である
【００２５】
施錠機構は、上記のものに限定されないが、上記構成にすると簡便な施錠作業で確実に施錠でき、また侵入者の開錠を困難にできるという利点がある。
【００２６】
次に第２実施の形態について図面を参照して説明する。前記各実施形態との違いは、小窓４を耐衝撃扉１に設ける点である。
図７はその小窓４を内部から見た正面図。図８はポリカーボネート板６に設けられた小窓４の水平断面図である。
小窓３４は貫通孔１１と開閉金具１２、及び留金２４等からなっている。
軸１３を貫通孔１１を挟んで留金２４と対称となる位置に設け、開閉金具１２をこの軸１３を中心として回動可能に取付ける。また開閉金具１２の先端部に切込み２５を設け、開閉金具１２を回動して、この切込み２５を前記留め金２４に係合可能に構成する。
【００２７】
貫通孔１１は通常、図７の点線に示すように切込み２５を留金２４にかけることで塞がれている。
使用するときは、開閉金具１２を軸１３を中心として上方に回動させ、留金２４から外して図７の実線の状態にする。そして、図８に示したように、この貫通孔１１から催涙スプレーなどのノズル１４を出して噴霧し、扉を抉じ開けようとしたり、殴打するなどして執拗に攻撃してくる侵入者に対して反撃することができる。
【００２８】
図８に示したのは、ポリカーボネート板６に設けられた小窓４の水平断面図であるが、覗き窓２に設けても良い。その場合、ハーフミラー１０にも貫通穴１１に対応した箇所に穴を開ける必要がある。
【００２９】
なお、前記実施の形態では、耐衝撃扉１に覗き窓２を設けているが、本発明はこれらに限るものではなく、覗き窓２を設けなくともよい。
【図面の簡単な説明】
【００３０】
【図１】本発明の実施例の斜視図
【図２】耐衝撃扉の垂直断面図
【図３】施錠機構の斜視図
【図４】施錠機構の水平断面図
【図５】外取っ手部の斜視図
【図６】施錠機構２の水平断面図
【図７】小窓の内部正面図
【図８】小窓の水平断面図
【符号の説明】
【００３１】
１    耐衝撃扉
２    覗き窓
３    取っ手
４    小窓
６    ポリカーボネート板
７    緩衝材
８    フレーム
９    化粧版
１０  ハーフミラー
１１  貫通穴
１２  開閉金具
１３  軸
１４  ノズル
１５ａ  外取っ手部
１５ｂ  内取っ手部
１６  ホルダー
１７  弾性体
１８  壁面
１９  ロックハンドル
２０  ロックつめ
２１  切り欠き
２２  スライド部
２３  ネジ
２４  留金
２５  切込み
【図１】
2005126943.tif 000003
【図２】
2005126943.tif 000004
【図３】
2005126943.tif 000005
【図４】
2005126943.tif 000006
【図５】
2005126943.tif 000007
【図６】
2005126943.tif 000008
【図７】
2005126943.tif 000009
【図８】
2005126943.tif 000010